(57)【要約】      （修正有）【課題】１つで種々の直径の傘の柄に対応して、ぴったり取り付けることができる傘用アクセサリーを提供する。【解決手段】開閉部材５、７には厚さ寸法の大きい円弧状部材３１が装着されているので、円弧状部材３１が柄４５の周面に弾性変形して圧接する。従って、傘用アクセサリーを傘の柄４５にぴったり取り付けることができる。直径が９．５ｍｍの傘の柄に傘用アクセサリーを取り付ける場合は、開閉部材５、７には厚さ寸法の小さい円弧状部材を装着する。このように傘用アクセサリーでは、円弧状部材３１と厚さ寸法の小さい円弧状部材とを交換するだけで、種々の直径の傘の柄に対応して、ぴったり取り付けることができる。従って、一つの傘用アクセサリーを用意するだけでよく、コスト的にも有利なものとなる。【選択図】図４
0003165737.tif 000002
【実用新案登録請求の範囲】
【請求項１】
開閉自在に連結され内側に円弧状の湾曲面を有する２つの開閉部材から成り、閉じた状態で内側に円形の空間を形成する固定具本体と、前記固定具本体を閉じた状態でロックするロック手段と、前記固定具本体に形成された環状部と、前記環状部に連結される装飾部材とから成る傘用アクセサリーにおいて、前記２つの開閉部材の内側には保持溝が形成され、前記保持溝には弾性材料から成る円弧状部材が着脱自在に装着され、前記円弧状部材は厚さ寸法の異なるものが複数種類備えられていることを特徴とする傘用アクセサリー。
【請求項２】
請求項１に記載した傘用アクセサリーにおいて、円弧状部材には外周面に開口を有する孔が形成され、２つの開閉部材には前記円弧状部材が保持溝に嵌り込む位置で前記孔に挿入される位置決め突起が設けられていることを特徴とする傘用アクセサリー。
【請求項３】
請求項１または２に記載した傘用アクセサリーにおいて、円弧状部材は傘の柄の直径が７．０ｍｍ以上９．０ｍｍより小さい用のものと、傘の柄の直径が９．０ｍｍ以上１０．０ｍｍ以下用のものの２種類を具備することを特徴とする傘用アクセサリー。
【考案の詳細な説明】
【技術分野】
【０００１】
本考案は傘用アクセサリーに係り、特に傘の柄に装着して飾る傘用アクセサリーに関するものである。
【背景技術】
【０００２】
傘用アクセサリーは装飾品としての機能のみならず、多数の傘が置かれる傘立て等において自分の傘と他の傘とを見分けるための目印としての役目も期待される。
傘用アクセサリーとしては特許文献１に記載されたものがあるが、この傘用アクセサリーは傘の骨の先端部に取り付けるものである。
このタイプの傘用アクセサリーでは、傘を傘立てに立てたときに、閉じた状態でしかも柄を上にするので、骨の先端部に取り付けてしまうと、傘用アクセサリーは殆ど視認することはできない。
【先行技術文献】
【特許文献】
【０００３】
【特許文献１】実用新案登録第３１６０２５８号
【考案の概要】
【考案が解決しようとする課題】
【０００４】
柄に付けるタイプの傘用アクセサリーがあれば、上記したような不都合は無いが、傘の柄の直径はまちまちなので、各種の傘に汎用的に取り付けることができない。傘毎に傘用アクセサリーを準備するとなると、コストが高いものになってしまう。
【０００５】
本考案は上記従来の問題点に着目して為されたものであり、１つで種々の直径の傘の柄に対応して、ぴったり取り付けることができる傘用アクセサリーの提供を、その目的とする。
【課題を解決するための手段】
【０００６】
本考案は上記課題を解決するためになされたものであり、請求項１の考案は、開閉自在に連結され内側に円弧状の湾曲面を有する２つの開閉部材から成り、閉じた状態で内側に円形の空間を形成する固定具本体と、前記固定具本体を閉じた状態でロックするロック手段と、前記固定具本体に形成された環状部と、前記環状部に連結される装飾部材とから成る傘用アクセサリーにおいて、前記２つの開閉部材の内側には保持溝が形成され、前記保持溝には弾性材料から成る円弧状部材が着脱自在に装着され、前記円弧状部材は厚さ寸法の異なるものが複数種類備えられていることを特徴とする傘用アクセサリーである。
【０００７】
請求項２の考案は、請求項１に記載した傘用アクセサリーにおいて、円弧状部材には外周面に開口を有する孔が形成され、２つの開閉部材には前記円弧状部材が保持溝に嵌り込む位置で前記孔に挿入される位置決め突起が設けられていることを特徴とする傘用アクセサリーである。
【０００８】
請求項３の考案は、請求項１または２に記載した傘用アクセサリーにおいて、円弧状部材は傘の柄の直径が７．０ｍｍ以上９．０ｍｍより小さい用のものと、傘の柄の直径が９．０ｍｍ以上１０．０ｍｍ以下用のものの２種類を具備することを特徴とする傘用アクセサリーである。
【考案の効果】
【０００９】
本考案の傘用アクセサリーによれば、装着する傘の柄に対応して適当な円弧状部材を選択して開閉部材に装着するだけで、種々の直径の傘の柄に対応して、ぴったり取り付けることができる。従って、一つの傘用アクセサリーを用意するだけでよく、コスト的にも有利なものとなる。
傘用アクセサリーは傘の柄に装着されるので、装飾品としての機能のみならず、多数の傘が置かれる傘立て等に立てた場合でも、容易に視認することができる。従って、自分の傘と他の傘とを見分けるための目印としての役目も十分に果たすことが可能である。
【図面の簡単な説明】
【００１０】
【図１】本考案の実施の形態に係る傘用アクセサリーの固定具本体の斜視図である。
【図２】図１の固定具本体を構成する開閉部材に装着される厚さ寸法の大きい円弧状部材の斜視図である。
【図３】図１の固定具本体を構成する開閉部材に装着される厚さ寸法の小さい円弧状部材の斜視図である。
【図４】図１の固定具本体に図２の厚さ寸法の大きい円弧状部材を装着して直径の小さい傘の柄に装着した状態の平面図である。
【図５】図１の固定具本体に図３の厚さ寸法の小さい円弧状部材を装着して直径の大きい傘の柄に装着した状態の平面図である。
【図６】本考案の実施の形態に係る傘用アクセサリーを傘の柄に取り付けた状態の図である。
【考案を実施するための形態】
【００１１】
本考案の実施の形態に係る傘用アクセサリー１を図面にしたがって説明する。
傘用アクセサリー１は固定具本体３を有している。固定具本体３の構造について説明する。
符号５、７は開閉部材を示す。この開閉部材５、７は平面視円弧状で一端部どうしがピン９によって開閉自在に連結され、閉じられた状態では環状を為して、内側に円形の空間を形成するようになっている。
【００１２】
図４に示すように、開閉部材５、７を閉じた状態における固定具本体３の外径Ｄ１は１７．３ｍｍ、内径Ｄ２は１１．１ｍｍ、高さ寸法Ｔは６．４ｍｍである。
また、開閉部材５、７の内側部には、それぞれ、平面視円弧状で内側に向かって開口した保持溝１１が形成されている。この保持溝１１の深さ寸法Ｆは１．５ｍｍである。また、保持溝１１の底面（開閉部材５、７の内周面）の中心部分には、位置決め突起１３が設けられている。
【００１３】
開閉部材７の外周面には環状部としての取付リング１５が固定されている。
開閉部材５の他端側の上面には長方形のロック孔１７が形成されている。
また開閉部材７の他端部には切り欠き１８が形成されている。更に開閉部材７の保持溝の他端部にはピン１９が立設されている。
符号２２はロック部材を示し、このロック部材２２は上下方向に貫通する図示しない孔が形成された主部２３、この主部２３に一体に形成され上下方向へ延びる差込み部２５と水平方向へ延びる操作部２７とによって構成されている。
【００１４】
開閉部材７に設けられたピン１９にはコイルスプリング２１がはめられ、更にロック部材２２の主部２３が上下動自在に嵌められている。ロック部材２２はコイルスプリング２１の上側に備えられ、ロック部材２２はコイルスプリング２１によって上方へ付勢されている。これによりロック部材２２の主部２３は開閉部材７の天板２９の下面に圧接させられている。
ロック部材２２の差込み部２５は開閉部材７の端面から出ており、操作部２７は切り欠き１８を通り、開閉部材７の外周面から突出している。
ピン１９、コイルスプリング２１及びロック部材２２によってロック手段が構成されている。
【００１５】
図４において、符号３１は厚さ寸法の大きい円弧状部材を示し、この円弧状部材３１は平面視がほぼ円弧状に形成され、プラスチック等の弾性材料によって構成されている。また、円弧状部材３１には外周面に開口を有する孔３３が形成されており、この孔３３は外周面の中心部分に備えられている。
【００１６】
図５において、符号３５は厚さ寸法の小さい円弧状部材を示し、この円弧状部材３５は円弧状部材３１と同様には平面視がほぼ円弧状に形成され、プラスチック等の弾性材料によって構成されている。また、円弧状部材３５には外周面に開口を有する孔３７が形成されており、この孔３７は外周面の中心部分に備えられている。円弧状部材３５は円弧状部材３１より厚さ寸法が小さく設定されている。
円弧状部材３１の厚さ寸法Ｅ１は２．２ｍｍ、円弧状部材３５の厚さ寸法Ｅ２は３．５ｍｍである。円弧状部材３１は傘の柄の直径が７．０ｍｍ以上９．０ｍｍより小さい用のものであり、円弧状部材３５は傘の柄の直径が９．０ｍｍ以上１０．０ｍｍ以下用のものであり、傘用アクセサリー１にはこの２種類を具備している。
【００１７】
符号３９はＤ型の装飾部、４１はハート型の装飾部を示し、これらの装飾部３９、４１はリング４３を介して取付リング１５に対し着脱自在に取り付けられている。
【００１８】
次に、この傘用アクセサリー１の使用方法について説明する。
傘の柄の直径に合わせて円弧状部材３１または円弧状部材３５のいずれかを選択する。傘の柄の直径が７．０ｍｍ以上９．０ｍｍより小さい場合は弧状部材３１を選択し、傘の柄の直径が９．０ｍｍ以上、１０．０ｍｍ以下の場合は円弧状部材３５を選択する。
【００１９】
そして、例えば円弧状部材３１を選択した場合には、図４に示すように、保持溝１１に嵌め込む。このとき位置決め突起１３を孔３３に入れれば、円弧状部材３１は保持溝１１の正しい位置に装着される。従って、円弧状部材３１を保持溝１１に正しく、容易に嵌め込むことができる。
【００２０】
次いで、図４、図６に示すように開閉部材５、７を開いた状態で直径８．０ｍｍの傘の柄４５に装着する。そして、操作部２７を指で押し下げて、差込み部２５の上端が天板２９の下面より下がる状態とし、その状態のまま開閉部材５、７と他端部どうしを合わせて、操作部２７を押さえている指を離す。差込み部２５はコイルスプリング２１の付勢力によって上昇し、その先端部がロック孔１７に入り込み、開閉部材５、７が開かない状態にロックされる。
なお、開閉部材５、７を開く場合は、操作部２７を押し下げて、差込み部２５の先端部をロック孔１７から抜いた状態で、開閉部材５、７に開くようにする。
【００２１】
開閉部材５、７には円弧状部材３１が装着されているので、円弧状部材３１が柄４５の周面に弾性変形して圧接する。従って、傘用アクセサリー１を傘の柄４５にぴったり取り付けることができる。
なお、装飾部３９、４１はリング４３を介して取付リング１５に対し着脱自在に取り付けられているので、好みに応じて他の装飾部に交換可能である。
【００２２】
また、図５に示すように例えば直径が９．５ｍｍの傘の柄４７に傘用アクセサリー１を取り付ける場合は、開閉部材５、７には円弧状部材３５を装着する。円弧状部材３５の開閉部材５、７を傘の柄４７に装着する作業方法は上記した円弧状部材３１を用いる場合と同様である。
【００２３】
このように傘用アクセサリー１では、円弧状部材３１と円弧状部材３５とを交換するだけで、種々の直径の傘の柄に対応して、ぴったり取り付けることができる。従って、一つの傘用アクセサリー１を用意するだけでよく、コスト的にも有利なものとなる。
また、傘用アクセサリー１は傘の柄に装着されるので、装飾品としての機能のみならず、多数の傘が置かれる傘立て等に立てた場合でも、容易に視認することができる。従って、自分の傘と他の傘とを見分けるための目印としての役目も十分に果たすことができる。
【００２４】
以上、本考案の実施の形態について詳述してきたが、具体的構成は、この実施の形態に限られるものではなく、本考案の要旨を逸脱しない範囲における設計の変更などがあっても考案に含まれる。
上記実施の形態では開閉部材５、７を平面視円弧状のとしたが、本考案はこれに限定されず、閉じられた状態では環状となるものであれば他の形状であってもよい。
また、ロック手段をピン１９、コイルスプリング２１、ロック部材２２によって構成したが、本考案はこれに限定されず固定具本体３を閉じた状態で開かないようにロックし、固定具本体３を開く際にはロックを解除できるものであれば、如何なる構成でもよい。
【００２５】
円弧状部材３１と円弧状部材３５との一目区別することができるように、例えばＬとＳ等のサイズを示す記号等を円弧状部材３１と円弧状部材３５に表示してもよい。
また、円弧状部材３１と円弧状部材３５の傘の柄に圧接する部分に多数の突起等を形成して、円弧状部材３１と円弧状部材３５の傘の柄に対する圧接力が大きくなる構成とすることも可能である。
上記実施の形態では、傘の柄の直径が８．０ｍｍと９．５ｍｍのものに対応する例を示したが、この傘用アクセサリー１は、傘の柄の直径が７．０ｍｍ以上、９．０ｍｍより小さい場合は円弧状部材３１を選択し、傘の柄の直径が９．０ｍｍ以上、１０．０ｍｍ以下の場合は円弧状部材３５を選択することにより、傘の柄の直径が７．０ｍｍ以上、１０．０ｍｍ以下の範囲であれば、固定具本体３を傘の柄にぴったり取り付けることができる。
更に、本考案の傘用アクセサリーは上記した傘の柄の直径が７．０ｍｍより小さい場合でも、１０．０ｍｍより大きい場合でも対応でき傘の柄にぴったり装着できるように複数種類の円弧状部材を備える構成としてもよい。
【産業上の利用可能性】
【００２６】
本考案は傘用アクセサリーの製造業やアクセサリーの製造業に利用可能である。
【符号の説明】
【００２７】
１…傘用アクセサリー                ３…固定具本体
５、７…開閉部材                    ９…ピン
１１…保持溝                        １３…位置決め突起
１５…取付リング                    １７…ロック孔
１８…切り欠き                      １９…ピン
２２…ロック部材                    ２３…（ロック部材の）主部
２５…（ロック部材の）差込み部      ２７…操作部
２９…天板                          ３１…円弧状部材
３３…孔                            ３５…円弧状部材
３７…孔                            ３９、４１…装飾部
４３…リング                        ４５、４７…傘の柄
Ｄ１…固定具本体の外径              Ｄ２…固定具本体の内径
Ｔ…固定本体の高さ寸法              Ｅ１…円弧状部材の厚さ寸法
Ｅ２…円弧状部材の厚さ寸法
【図１】
0003165737.tif 000003
【図２】
0003165737.tif 000004
【図３】
0003165737.tif 000005
【図４】
0003165737.tif 000006
【図５】
0003165737.tif 000007
【図６】
0003165737.tif 000008